(57)【要約】【課題】それぞれのチャンネルの個別の信号の強さを検出でき、無線システムを架設する際に、それぞれのチャンネルの通信品質を向上し、かつ調整用の参考情報として利用できるマイクロ波信号検出装置を提供する。【解決手段】受信ユニット２と、出力ユニット３と、処理ユニット４と、表示ユニット５とを備えており、前記出力ユニット３が受信ユニット２の受信するマイクロ波信号を増幅及び整形し、また、処理後の信号を処理ユニット４に出力し、その処理ユニット４が出力ユニット３の処理した信号を演算してから、表示ユニット５に出力し、処理ユニット４が演算してフィードバック信号を生成し、それを出力ユニット３に送信し、出力ユニット３の生成する周波数を変更し、それによってそれぞれ異なる周波数の信号を取り出し、そして受信ユニット２によって他のチャンネルの検出も繰り返し、こうしてそれぞれのチャンネルの信号の検出サイクルを繰り返し行なう。【選択図】図２
0003102069.tif 000002
【実用新案登録請求の範囲】
【請求項１】
受信ユニットと、出力ユニットと、処理ユニットと、表示ユニットとを備えており、
その中、前記出力ユニットが受信ユニットの受信するマイクロ波信号を増幅及び整形し、また、処理後の信号を処理ユニットに出力し、その処理ユニットが出力ユニットの処理した信号を演算し、それから表示ユニットに出力し、処理ユニットが演算してフィードバック信号を生成し、且つそれを出力ユニットに送信し、出力ユニットの生成する周波数を変更し、それによってそれぞれ異なる周波数の信号を取り出し、それから受信ユニットによって他のチャンネルの検出を繰り返すことによってそれぞれのチャンネルの信号の検出のサイクルを繰り返すようにすることを特徴とするマイクロ波信号検出装置。
【請求項２】
前記受信ユニットには、アンテナと帯域・フィルターを備えていることを特徴とする請求項１に記載のマイクロ波信号検出装置。
【請求項３】
前記帯域・フィルターとして工業と科学と医学の帯域・フィルターを使用することを特徴とする請求項２に記載のマイクロ波信号検出装置。
【請求項４】
前記出力ユニットには、低ノイズ・アンプ３１と、直流較正回路と、電圧制御オシレータと、位相ロック回路と、アナログ・デジタル・コンバータとを備えていることを特徴とする請求項１に記載のマイクロ波信号検出装置。
【請求項５】
前記処理ユニットには、マイクロプロセッサーと、ＲＯＭ４２と、ＲＡＭ４３とを備えていることを特徴とする請求項１に記載のマイクロ波信号検出装置。
【請求項６】
前記表示ユニットとして発光ダイオード装置を使用することを特徴とする請求項１に記載のマイクロ波信号検出装置。
【請求項７】
前記表示ユニットとして液晶ディスプレイ装置を使用することを特徴とする請求項１に記載のマイクロ波信号検出装置。
【考案の詳細な説明】
【技術分野】
【０００１】
本考案は、マイクロ波信号検出装置に係わり、特に、それぞれのチャンネルの信号の強さを検出することができ、無線システムの架設時にそれぞれのチャンネルの通信品質を向上し、かつ調整用の参考情報として利用でき、さらに通信帯域を測定することによって無線システムを使用する時にそれぞれのチャンネルの最大利用率を達成すると共に、通信品質の向上を図ることのできるマイクロ波信号検出装置に関するものである。
【背景技術】
【０００２】
現在、世界各国の政府はそれぞれ、無線通信周波数の利用帯域を規定しており、それらの大部分はライセンスを申請することで使用可能である。工業や化学や医学等の公共用途に開放使用される帯域の周波数の場合には、ライセンスを取得しなくても一般大衆の使用に供することが出来る。しかし、普遍に開放された帯域がそれぞれの国で異なっており、一般的には、各々国がアメリカ通信委員会（Ｆｅｄｅｒａｌ  Ｃｏｍｍｕｎｉｃａｔｉｏｎｓ  Ｃｏｍｍｉｔｔｅｅ；ＦＣＣ）の規格を基礎として開放帯域を制定している。当該アメリカ通信委員会が、２００１年１０月１日に公布した修正書によると、公共用途に開放される周波数帯域は９０２−９２８ＭＨｚ、２４００−２４８３.５ＭＨｚ、５７２５−５８５０ＭＨｚなどの三つの帯域（ｂａｎｄ）であり、これらは一般の、所謂、工業と科学と医学との帯域である。
【０００３】
それぞれの国がアメリカ通信委員会の公布した規格を基礎として開放帯域を制定しているものの、依然として異なる箇所が有り、それらの些細な異なる箇所が通信上の相容れない課題となっている。
例えば、２.４−２.５ＧＨｚの帯域を例として説明すると、アメリカとカナダと中南米のセクションは２４００−２４８３.５ＭＨｚであり、ヨーロッパの一部の国家のセクションも２４００−２４８３.５ＭＨｚであり、フランスのセクションは２４４６.５−２４８３.５ＭＨｚであり、日本では国内の一部の区域のみに２４７１−２４９７ＭＨｚのセクションが使用可能になっている。
【０００４】
それぞれの国の公共用途に開放される周波数帯域がそれぞれ異なるので、使用者がフランスからドイツへ行く場合、あるいは日本からヨーロッパへ行く場合などでは、即座に通信不能な状態に直面してしまう。そのため、工業と科学と医学の帯域を制定して一般大衆が便利に利用できるようにするという意図が損なわれることとなるために、ある方法を作り出して、地域を跨って使用する際に帯域の相違によって通信するのに困難を伴うという課題を解消するようにしている。
【０００５】
Ｄｉｎｃ ｅｔ ａｌ．のアメリカ特許第５８６７７６６号にはある技術が開示されていて、それは無線通信装置に利用されるものであり、この技術によって、無線通信装置の受信端は通信時に自動的にすべての使用可能な周波数をサーチして、それぞれのチャンネル同士の間で切り替えることが出来るようになる。通信時に、使用中のチャンネルのエネルギーが低すぎたり、ノイズが大きい場合、この技術が自動的に使用可能なチャンネルをサーチして、使用可能なチャンネルに切り替える。発信端では、当該地の規定するチャンネルに基づいて当該地規定のチャンネルによって受信端と通信を実行する。
【０００６】
Ｃａｒｌ  Ｍａｎｓｆｉｅｌｄのアメリカ特許第６５５６８２５号にはある装置が提案されていて、この装置は、所在する異なる地域それぞれにしたがって自動的にサーチをすると共に、当該装置の設定を変更できるので、人力によって余分な設定と調整を実行する必要はなく、それぞれ異なる地域に位置する発信端と受信端との間ですべて順調に通信可能にすることができる。
【０００７】
しかしながら、前記のそれぞれの解決案は、すべて異なる地域間での通信課題の改善に着目するものであり、通信品質の改善には触れられてはいない。これら２つの解決案はそれぞれのチャンネルのＲＦ（Ｒａｄｉｏ  Ｆｒｅｑｕｅｎｃｙ）信号の強さを検出できず、単に、ある帯域のＲＦ信号とすべてのチャンネルの総エネルギーを検出するだけで、それぞれのチャンネルのエネルギーを検出することができないので、通信品質の向上には寄与できていない。
【０００８】
図１は従来の信号検出装置の構造を示すシステムを示すものである。当該信号検出装置には、アンテナ１１と、帯域フィルター１２と、ローカル・オシレータ１３と、直流較正回路（ＤＣ  Ｃａｌｉｂｒａｔｉｏｎ）１４と、アナログ・デジタル・コンバータ１５と、マイクロプロセッサー１６と、発光ダイオード１７とを備えている。
【０００９】
前記アンテナ１１がマイクロ波を受信してから、帯域フィルター１２によって所要する帯域を取り出し、前記ローカル・オシレータ１３が取り出そうとする前記帯域の周波数をコントロールし、正しいチャンネル周波数を提供する。周波数が決定されると、前記直流較正回路１４が信号をアナログ信号となるように取り出し、且つそのアナログ信号をアナログ・デジタル・コンバータ１５に送信し、当該アナログ・デジタル・コンバータ１５が前記直流較正回路１４の送信してきたアナログ信号をデジタル信号となるように変換し、その後の処理の利用に供する。また、前記のマイクロプロセッサー１６がアナログ・デジタル・コンバータ１５の出力するデジタル信号を処理する。
【００１０】
マイクロプロセッサー６は、演算時に、演算し得た結果信号を発光ダイオード１７に出力し、ユーザーに了解させる。
【００１１】
しかしながら、前記の従来の信号検出装置は、そのローカル・オシレータが所定の周波数に設定され、変更できないため、単にすべてのチャンネルのトータルのエネルギーを検出するだけで、それぞれのチャンネルの個別のエネルギーを検出できないので、ユーザーがそれらの情報からはそれぞれのチャンネルの個別使用状況を了解できず、充分に利用できない。そのため、前記の従来の信号検出装置の構造には、おおいに改良されるべき点が有る。
【特許文献１】アメリカ合衆国特許第５８６７７６６号
【特許文献２】アメリカ合衆国特許第６５５６８２５号
【考案の開示】
【考案が解決しようとする課題】
【００１２】
本考案は、それぞれのチャンネルの個別の信号の強さを検出でき、無線システムを架設する際に、それぞれのチャンネルの通信品質を向上し、かつ調整用の参考情報として利用できるマイクロ波信号検出装置を提供することをその第一の目的とする。
【００１３】
また、本考案は、それぞれの個別のチャンネルの信号値を検出でき、無線システムを架設する際に、通信帯域を測定することに利用でき、無線システムを使用する際に、それぞれのチャンネルの最大の利用率を獲得できると共に、通信品質のよさを確保可能な、マイクロ波信号検出装置を提供することをその第二の目的とする。
【課題を解決するための手段】
【００１４】
本考案は、前記のそれぞれの課題を解決するために、所望のマイクロ波信号検出装置を提供し、当該装置には、受信ユニットと、前記受信ユニットの受信するマイクロ波信号を増幅及び整形し、それから処理後の信号を出力する出力ユニットと、出力ユニットの処理後の信号を演算してから出力ユニットと表示ユニットに出力する処理ユニットとを備えており、その中、前記表示ユニットが処理ユニットの演算し得た結果を表示する。
【考案を実施するための最良の形態】
【００１５】
本考案の目的と特徴と効果とを詳細に説明するために、以下に添付図面を参照しながら、本考案の具体的な実施の形態を挙げて後記のように詳しく説明する。
【実施例】
【００１６】
図２は本考案のシステムの構成を示す説明図であり、本考案のマイクロ波信号検出装置には、受信ユニット２と、出力ユニット３と、処理ユニット４と、表示ユニット５とを備えている。この内、前記受信ユニット２は、さらにアンテナ２１と、帯域フィルター（工業と科学と医学との帯域フィルター）２２とを備えており、前記受信ユニット２は、アンテナ２１によってマイクロ波信号を受信し、帯域フィルター２２によって所要の帯域を取り出す。
【００１７】
出力ユニット３は、さらに、低ノイズ・アンプ（Ｌｏｗ  Ｎｏｉｓｅ  Ａｍｐｌｉｆｉｅｒ）３１と、直流較正回路３２と、電圧制御オシレータ３３と、位相ロック回路３４と、アナログ・デジタル・コンバータ３５とを備えている。前記出力ユニット３では、低ノイズ・アンプ３１が前記帯域フィルター２２の送信してくる信号を増幅するが、この際、ノイズは増幅されないので、低ノイズ・アンプ３１によって増幅される信号は非常にピュアーになる。しかし、一般のアンプではノイズが一緒に増幅されてしまうために、増幅信号がピュアーにならない。この点が本考案と従来のアンプとの大きな相違である。その後、電圧制御オシレータ３３によって、取り出そうとする帯域の周波数を制御し、且つ位相ロック回路３４によって位相差を固定すると共に補正をし、それによって正確な帯域周波数を提供する。周波数が確定されてから、直流較正回路３２が信号をアナログ信号となるように取り出すと共に、アナログ信号をアナログ・デジタル・コンバータ３５に送信し、当該アナログ・デジタル・コンバータ３５が直流較正回路３２の送信してきたアナログ信号をデジタル信号へ転換する。
【００１８】
また、処理ユニット４は、マイクロプロセッサー４１と、ＲＯＭ（Ｒｅａｄ  Ｏｎｌｙ  Ｍｅｍｏｒｙ）４２と、ＲＡＭ（Ｒａｎｄｏｍ  Ａｃｃｅｓｓ  Ｍｅｍｏｒｙ）４３とを備えている。この内、前記処理ユニット４のマイクロプロセッサー４１は前記アナログ・デジタル・コンバータ３５の出力するデジタル信号を処理し、前記ＲＯＭ４２は内部にプログラム・コードを記憶している。また、前記マイクロプロセッサー４１はそれに記憶されるプログラム・コードをＲＯＭ４２から読み取って演算するが、演算時に、ＲＡＭ４３を利用して演算パラメータをそのＲＡＭ４３に一時に記憶するように助ける必要があり、それらの一時保存される演算パラメータを一時に読み取ると共に記憶する。また、前記マイクロプロセッサー４１が演算時に演算の結果信号を表示ユニット５に出力する。
【００１９】
表示ユニット５は処理ユニット４の演算後の結果を表示し、発光ダイオードまたは液晶ディスプレイによってそれぞれのチャンネルの信号の強弱状況を示すことが出来る。
【００２０】
また、前記のマイクロプロセッサー４１は演算後に電圧制御オシレータ３３にフィードバック信号を送信し、電圧制御オシレータ３３の生成する周波数を変更することによって、それぞれ異なる周波数の信号を取り出し、それによってアンテナ２１が他のサイクルを繰り返し行なうことによって、このサイクル性の検出操作によりそれぞれのチャンネルの信号を検出する。
【産業上の利用可能性】
【００２１】
本考案による場合、それぞれのチャンネルの周波数の信号とエネルギーが本考案のマイクロ波信号検出装置によって検出できるので、それによって詳しくそれぞれのチャンネルの信号の強弱状況を分析でき、且つ通信品質を向上するようなニーズも検出できるため、無線システムの架設時に通信帯域を測定することに利用でき、それぞれのチャンネルの最大利用率を実現できると共に、通信品質を確保できるようになっている。
【００２２】
本考案について、前記のように実施可能な実施形態を挙げて上記のように詳しく説明したが、それらの説明による具体的な構造は本考案を狭義的に制限するものではなく、当業者であれば、本考案の要旨に基づいて相乗効果の改良や変更や一部転用などを実施でき、それらのものも本考案の請求範囲内に包含されるべきことは言うまでもないことである。
【図面の簡単な説明】
【００２３】
【図１】従来の信号検出装置のシステム構成を示す説明図である。
【図２】本考案のシステム構成を示す説明図である。
【符号の説明】
【００２４】
２      受信ユニット
３      出力ユニット
４      処理ユニット
５      表示ユニット
１１    アンテナ
１２    帯域フィルター
１３    ローカル・オシレータ
１４    直流較正回路
１５    アナログ・デジタル・コンバータ
１６    マイクロプロセッサー
１７    発光ダイオード
２１    アンテナ
２２    帯域フィルター
３１    低ノイズ・アンプ
３２    直流較正回路
３３    電圧制御オシレータ
３４    位相ロック回路
３５    アナログ・デジタル・コンバータ
４１    マイクロプロセッサー
４２    ＲＯＭ
４３    ＲＡＭ
【図１】
0003102069.tif 000003
【図２】
0003102069.tif 000004